(57)【要約】【課題】装着しない時も外観を損なわず、装着容易なカバー部材を備える電子機器用筐体、およびこれを備えるプロジェクタを提供すること。【解決手段】外部と接続する接続用端子２５３が露出する筐体本体２と、この筐体本体２に装着され、接続用端子２５３を覆うカバー部材とを備えた電子機器用筐体は、接続用端子２５３を囲むように内側に凹む段部２５１を有し、筐体本体２の脚部が設けられる面２２Ａ、およびこの面と略平行な段部２５１の面には、カバー部材を装着したときに、該カバー部材が係合する係合部２２Ａ５，２５１Ａが形成されている。【選択図】図１０
2005085831.tif 000002
【特許請求の範囲】
【請求項１】
外部と接続する接続用端子が露出する筐体本体と、この筐体本体に装着され、前記接続用端子を覆うカバー部材とを備えた電子機器用筐体であって、
前記筐体本体は、前記接続用端子を囲むように内側に凹む段部を有し、
前記筐体本体の脚部が設けられる面、およびこの面と略平行な段部の面には、前記カバー部材を装着したときに、該カバー部材が係合する係合部が形成されていることを特徴とする電子機器用筐体。
【請求項２】
請求項1に記載の電子機器用筐体において、
前記段部の面は、前記脚部が設けられる面と略同じ向きの面とされることを特徴とする電子機器用筐体。
【請求項３】
請求項1または請求項２に記載の電子機器用筐体において、
前記カバー部材には、該カバー部材の内側面外方向に突出する突起が形成され、
前記段部の面に形成される係合部は、この突起と係合する凹部であることを特徴とする電子機器用筐体。
【請求項４】
請求項1〜請求項３に記載の電子機器用筐体において、
前記筐体本体の脚部が設けられる面に形成される係合部は、前記カバー部材を該筐体本体に固定するねじ部材を挿入する雌ねじ孔と、この雌ねじ孔に隣接して形成され、前記カバー部材装着方向先端側に延びるリブとを備えていることを特徴とする電子機器用筐体。
【請求項５】
光源から射出された光束を画像情報に応じて変調して光学像を形成し、拡大投写するプロジェクタであって、
請求項１〜請求項４のいずれかに記載の電子機器用筐体を備えることを特徴とするプロジェクタ。
【発明の詳細な説明】
【技術分野】
【０００１】
本発明は、外部と接続する接続用端子が露出する筐体本体と、この筐体本体に装着され、前記接続用端子を覆うカバー部材とを備えた電子機器用筐体に関する。
【背景技術】
【０００２】
従来、外部と接続する接続用端子が露出する電子機器用筐体に装着され、接続用端子への塵埃等の付着を防止するように該接続用端子を覆うカバー部材を備えた電子機器用筐体が知られている（例えば、特許文献１参照）。
この電子機器用筐体において、その背面には、外部と接続する接続用端子が設けられている。また、この背面の上方には、固定ねじと螺合する雌ねじ孔が形成されている。さらに、この背面の下方には、下縁左右端部に後向きに突設され、背面に平行な短スリット状の係合孔を有する固定部材が、該筐体の底板に切り曲げにより一体に設けられている。
【０００３】
この電子機器用筐体に装着されるカバー部材は、上面、背面および側面を囲む箱状に形成され、該筐体との装着面および底面が開口している。
このカバー部材において、その側面には、前端部分を直角に曲げた縁部の下端に舌片が設けられている。また、その上面には、前端部分を直角に曲げた縁部に該筐体の雌ねじ孔に対応する位置にＵ型の切り欠きが形成されている。さらに、その背面には、切り欠きに対応する位置に、ドライバが挿通される貫通孔が形成されている。
そして、電子機器用筐体にカバー部材を装着する際には、該筐体の雌ねじ孔に固定ねじを緩めた状態で螺合させておく。そして、カバー部材を該筐体の背面にあてがい、舌片を固定部材の係合孔に挿入、係止させるとともに、切り欠きを固定ねじの軸に差し込む。この後、カバー部材の背面の貫通孔からドライバを差し込み、固定ねじを締めて該筐体にカバー部材を固定する。
【０００４】
【特許文献１】実公平８−７６５７号公報（第１図）
【発明の開示】
【発明が解決しようとする課題】
【０００５】
しかしながら、上記のような構成では、電子機器用筐体にカバー部材を着脱する際には、ドライバ等の工具が必要となり、利用者に煩雑な作業を実施させてしまうなどの問題が一例として挙げられる。
さらに、カバー部材を外した状態で使用する場合は、筐体から係合突起等が露出した状態にあり、筐体裏面から固定部材が突出するから持ち運び等に不便であり、また外観上も好ましくない。
【０００６】
本発明の目的は、このような問題点に鑑みて、電子機器用筐体へのカバー部材の着脱を容易に実施でき、カバー部材を装着しない場合でも取扱いが容易であり、外観が損なわれない電子機器用筐体、および、この電子機器用筐体を備えるプロジェクタを提供することにある。
【課題を解決するための手段】
【０００７】
本発明の電子機器用筐体は、外部と接続する接続用端子が露出する筐体本体と、この筐体本体に装着され、前記接続用端子を覆うカバー部材とを備えた電子機器用筐体であって、前記筐体本体は、前記接続用端子を囲むように内側に凹む段部を有し、前記筐体本体の脚部が設けられる面、およびこの面と略平行な段部の面には、前記カバー部材を装着したときに、該カバー部材が係合する係合部が形成されていることを特徴とする。
【０００８】
この発明によれば、カバー部材を筐体本体に対して装着する際は、筐体本体の係合部に向かってカバー部材をあてがい、脚部の設けられる面と略平行にずらすだけで、それぞれの係合部にカバー部材が位置合わせされて係合可能となるので、工具等を使用することなくカバー部材の装着を容易に行うことができる。
また、脚部が設けられる面で電子機器を設置した際に、係合部は電子機器用筐体の上部や側面には露出せず、位置的に見えにくい部位に形成されている。脚部が設けられる面を上面として天吊して使用した際も、下方からやはり同様に係合部が見えにくい。
したがって、使用状態に関わらず、カバー部材を装着しないときにも係合部によって電子機器用筐体の外観が損なわれることがない。
さらに、外観に影響させないように筐体本体の角隅や端縁近傍などに係合部を形成しなくても済むから、電子機器を取扱う際の係合部の破損を防止でき、着脱をより容易なものにもできる。
そして、それぞれの係合部は脚部の設けられる面およびこの面と略平行な段部の面に形成されており、カバー部材と筐体本体とが互いの重なり代で係合されるから、筐体本体から露出する接続用端子を隙間無く被覆することが可能となり、接続用端子等への塵埃付着を確実に防止できる。
【０００９】
この発明では、前記段部の面は、前記脚部が設けられる面と略同じ向きの面とされることが好ましい。
この発明によれば、脚部が設けられる面で電子機器を設置した際、脚部が設けられる面に形成された係合部だけでなく段部に形成された係合部も設置面側に隠れ、位置的に一層見えにくいものとなるので、外観性をより向上させることができる。
【００１０】
この発明では、前記カバー部材には、該カバー部材の内側面外方向に突出する突起が形成され、前記段部の面に形成される係合部は、この突起と係合する凹部であることが好ましい。
この発明によれば、突起を凹部に抜き差しするだけでカバー部材の着脱を一層簡単に行えるうえ、係合部分がカバー部材の内側に隠れ、外側には突起および凹部が露出しないので、外観性をより一層向上させることができる。
また、係合部は位置的に見えにくい部位に形成されているものの、筐体本体の係合部が突起等の形状とされずに凹部とされることによって、カバー部材を外した際の外観を一層向上できるとともに、取扱い性がより向上する。
【００１１】
この発明では、前記筐体本体の脚部が設けられる面に形成される係合部は、前記カバー部材を該筐体本体に固定するねじ部材を挿入する雌ねじ孔と、この雌ねじ孔に隣接して形成され、前記カバー部材装着方向先端側に延びるリブとを備えていることが好ましい。
この発明によれば、雌ねじ孔にねじを螺合してカバー部材を筐体本体に固定できるので、カバー部材の脱落を確実に防止できる。
また、ねじ孔は設置面に最も近い部分に設けられるので、カバー部材を取り外しても目立たない。
さらに、カバー部材を着脱する際に、リブに沿ってカバー部材を案内可能となるから、カバー部材を一層容易に着脱できる。
【００１２】
本発明のプロジェクタは、光源から射出された光束を画像情報に応じて変調して光学像を形成し、拡大投写するプロジェクタであって、請求項１〜請求項３のいずれかに記載の電子機器用筐体を備えることを特徴とする。
この発明によれば、前述のように、カバー部材を容易に着脱して筐体本体の接続用端子に接続されるケーブル類を被覆できるとともに、カバー部材装着の有無に関わらず、筐体の外観を良好にできる。したがって、取扱い性および外観意匠性に優れたプロジェクタを実現できる。
【発明を実施するための最良の形態】
【００１３】
以下、本発明の実施の一形態を図面に基づいて説明する。
（１）外観構成
図１は、本実施形態に係るプロジェクタ１を上方前面側から見た斜視図である。図２は、プロジェクタ１を下方背面側から見た斜視図である。
プロジェクタ１は、光源から射出された光束を画像情報に応じて変調し、スクリーン等の投写面上に拡大投写する。このプロジェクタ１は、図１または図２に示すように、略直方体状の外装ケース２、およびこの外装ケース２から露出する投写レンズ３（図１）を備える。
投写レンズ３は、筒状の鏡筒内に複数のレンズが収納された組レンズとして構成され、プロジェクタ１の装置本体により画像情報に応じて変調された光学像を拡大投写する。
【００１４】
外装ケース２は、合成樹脂製の筐体であり、プロジェクタ１の装置本体を収納する。この外装ケース２は、図１または図２に示すように、装置本体の上部部分を覆うアッパーケース２１と、装置本体の下部部分を覆うロアーケース２２と、装置本体の前面部分を覆うフロントケース２３（図１）と、装置本体の側面部分の一部を覆うサイドケース２４と、装置本体の背面部分の一部を覆うリアケース２５（図２）とを備える。
アッパーケース２１は、図１または図２に示すように、外装ケース２の上面、側面の一部、および背面の一部をそれぞれ形成する上面部２１Ａ（図１）、側面部２１Ｂ，２１Ｃ（図１）、および背面部２１Ｄ（図２）を含んで構成される。
【００１５】
上面部２１Ａは、図１に示すように、平面視略矩形形状を有し、平面視略中央部分から前面側、側面側、および背面側にかけて、なだらかに湾曲し、凸曲面形状を有し、外装ケース２の上面を形成する。また、この上面部２１Ａの前方側端縁は、図１に示すように、前方から見て右側部分が曲線状に切り欠かれるように形成されている。
この上面部２１Ａにおいて、後方側略中央部分には、図１に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、図示しないＬＥＤ（Light Emitting Diode）が取り付けられており、所望の操作に応じて発光するようになっている。さらに、操作パネル２６は、操作ボタン２６１を囲むように配置される化粧板２６２を備えており、前記ＬＥＤからの光は化粧板２６２を介して拡散される。
なお、前述した操作パネル２６の回路基板は、後述する制御基板と電気的に接続され、操作ボタン２６１の押下に伴う操作信号は、制御基板に出力される。
【００１６】
また、この上面部２１Ａの前方側であって、前方から見て右側部分から、図１に示すように、投写レンズ３を上下左右に動かし、投写レンズ３の位置を調整する２つのダイアル３１１，３２１が露出している。この２つのダイアル３１１，３２１のうち、ダイアル３１１をＹ１方向（前方向）に回転させると、投写レンズ３がＹ３方向（下方）に動き、ダイアル３１１をＹ２方向（後方向）に回転させると、投写レンズ３がＹ４方向（上方）に動くこととなる。また、ダイアル３２１をＸ１方向（プロジェクタ１後方から見て右方向）に回転させると、投写レンズ３がＸ３方向（右方向）に動き、ダイアル３２１をＸ２方向（プロジェクタ１後方から見て左方向）に回転させると、投写レンズ３がＸ４方向（左方向）に動くこととなる。
【００１７】
側面部２１Ｂ，２１Ｃは、図１または図２に示すように、上面部２１Ａの長辺方向両端縁から略垂下し、投写方向両端縁が前面側および背面側に凸曲面を有するように湾曲している。
このうち、側面部２１Ｃにおいて、前方側には、図１に示すように、平面視コ字状の切り欠き２１Ｃ１が形成され、また、投写方向略中央部分から後方側にかけて、平面視コ字状の切り欠き２１Ｃ２が形成されている。
【００１８】
背面部２１Ｄは、図２に示すように、上面部２１Ａの短辺方向後方側端縁から略垂下し、長辺方向両端縁が湾曲して側面部２１Ｂ，２１Ｃと接続する。
この背面部２１Ｄにおいて、後方側から見て左側から長辺方向略中央部分にかけて、図２に示すように、平面視コ字状の切り欠き２１Ｄ１が形成されている。
また、この背面部２１Ｄにおいて、後方側から見て右側には、図２に示すように、リモコン受光窓２１Ｄ２が形成されている。そして、このリモコン受光窓２１Ｄ２の内側には、図示しないリモートコントローラからの操作信号を受信する図示しないリモコン受光モジュールが配置されている。
なお、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２１Ｄ２を介してリモコン受光モジュールで受光され、後述する制御基板で処理される。
【００１９】
ロアーケース２２は、図２に示すように、外装ケース２の底面、側面の一部、および背面の一部をそれぞれ形成する底面部２２Ａ、側面部２２Ｂ，２２Ｃ、および背面部２２Ｄを含んで構成される。
底面部２２Ａは、図２に示すように、略矩形状の平坦面で構成され、外装ケース２の底面を形成する。
この底面部２２Ａにおいて、後方側長辺方向略中央部分には、図２に示すように、プロジェクタ１の脚部を構成する固定脚部２２Ａ１が設けられている。また、前方側長辺方向両端部分には、下方側に膨出する膨出部２２Ａ２が形成され、この膨出部２２Ａ２には、固定脚部２２Ａ１とともにプロジェクタ１の脚部を構成する調整脚部２２Ａ３が設けられている。
このうち、調整脚部２２Ａ３は、膨出部２２Ａ２から底面部２２Ａの面外方向に進退自在に突出し、プロジェクタ１の投写時におけるプロジェクタ１の前後方向および左右方向の傾斜位置を調整可能としている。
【００２０】
また、底面部２２Ａにおいて、後方から見て左側であって、短辺方向略中央部分には、図２に示すように、外装ケース２内部と連通する吸気口２Ａが形成されている。
この吸気口２Ａは、外装ケース２外部の冷却空気を外装ケース２内部に取り込む開口であり、この吸気口２Ａには、複数の開口が形成されたカバー２Ａ１が取り付けられている。
【００２１】
さらに、底面部２２Ａにおいて、後方側長辺方向両端部分には、図２に示すように、底面部２２Ａの面外方向に突出する平面視略Ｌ字状の位置決めリブ２２Ａ４と、この位置決めリブ２２Ａ４のＬ字状内側に位置する雌ねじ孔２２Ａ５とが形成されている。
【００２２】
側面部２２Ｂ，２２Ｃは、図１または図２に示すように、底面部２２Ａの長辺方向両端縁から上方に立設するものであり、投写方向両端縁が前面側および背面側に凸曲面を有するように湾曲している。
側面部２２Ｂ，２２Ｃにおいて、前方側下端部分には、図１または図２に示すように、底面部２２Ａの膨出部２２Ａ２と略連続して外側に膨出する膨出部２２Ｂ１（図２），２２Ｃ１（図１）が形成されている。
また、側面部２２Ｃにおいて、前方側には、図１に示すように、平面視コ字状の切り欠き２２Ｃ１が形成され、また、投写方向略中央部分から後方側にかけて、平面視コ字状の切り欠き２２Ｃ２が形成されている。そして、アッパーケース２１の切り欠き２１Ｃ１およびロアーケース２２の切り欠き２２Ｃ１が接続することで、外装ケース２内部の空気を外装ケース２外部に排出するための排出口２Ｂが形成される。また、アッパーケース２１の切り欠き２１Ｃ２およびロアーケース２２の切り欠き２２Ｃ２が接続することで、サイドケース２４と係合する開口２Ｃが形成される。
【００２３】
背面部２２Ｄは、図２に示すように、底面部２２Ａの長辺方向後方側端縁から上方に立設するものであり、アッパーケース２１の背面部２１Ｄと略同様に、長手方向両端縁が湾曲して側面部２２Ｂ，２２Ｃと接続する。
この背面部２２Ｄにおいて、上端側長手方向略中央部分には、図２に示すように、外装ケース２の内側に窪み、底面部分に矩形状の開口２２Ｄ１が形成されている。そして、この開口２２Ｄ１を介して内部のインレットコネクタ２７が露出し、外部の電力をプロジェクタ１の装置本体に供給可能としている。
【００２４】
フロントケース２３は、図１に示すように、左右方向に延びる略楕円形状に形成され、前方から見て右側部分が上下方向に膨出している。そして、このフロントケース２３は、アッパーケース２１およびロアーケース２２が接続された状態で前面側に形成される開口に係合し、外装ケース２の前面を形成する。
【００２５】
このフロントケース２３において、前方から見て右側部分には、図１に示すように、外装ケース２の内側に窪み、この窪みの中心部分に略円形状の開口２３１が形成されている。そして、この開口２３１は、投写レンズ３の先端部分を露出させる。
また、このフロントケース２３において、長手方向略中央部分には、図１に示すように、前述のリモコン受光窓２１Ｄ２と同様のリモコン受光窓２３２が設けられている。そして、これらリモコン受光窓２１Ｄ２およびリモコン受光窓２３２を介して、プロジェクタ１の前方および後方の双方から図示しないリモートコントローラを用いてプロジェクタ１の遠隔操作を実施できるように構成されている。
【００２６】
さらに、このフロントケース２３において、前方から見て左側部分には、図１に示すように、プロジェクタ１の製造会社名、または製品名等が記載された情報表示板２８が取り付けられている。
この情報表示板２８は、上面に製造会社名、または製品名等の情報が記載された略矩形状の板体であり、フロントケース２３に対して回転自在とするとともに、該回転軸を中心として１８０°の回転対称となる二位置でフロントケース２３に対して取り付け可能に構成されている。
【００２７】
サイドケース２４は、図１に示すように、断面略円弧状の板体から構成され、外装ケース２の開口２Ｃに係合し、アッパーケース２１の側面部２１Ｂ，２１Ｃ、およびロアーケース２２の側面部２２Ｂ，２２Ｃとともに、外装ケース２の側面を形成する。
このサイドケース２４の内側には、プロジェクタ１の装置本体を構成する後述する光源装置が配置され、サイドケース２４を外装ケース２から取り外すことで、前記光源装置を装置本体に着脱自在とする。すなわち、サイドケース２４はランプ蓋に相当する。
また、サイドケース２４の下端側には、図２に示すように、固定用孔２４１が形成され、ねじ等により外装ケース２内部の固定部材に固定される。
【００２８】
リアケース２５は、略矩形状の板体から構成され、該板体の各端縁から後方側に突出する突出部２５１を有し、断面略コ字状に形成されている。このリアケース２５は、突出部２５１の先端部分と、アッパーケース２１の背面部２１Ｄに形成された切り欠き２１Ｄ１、およびロアーケース２２の背面部２２Ｄの上端部分とが接続し、アッパーケース２１およびロアーケース２２が接続された状態で背面側に形成される開口部分を塞ぐ。そして、このリアケース２５は、アッパーケース２１の背面部２１Ｄおよびロアーケース２２の背面部２２Ｄとともに、外装ケース２の背面を形成する。
このリアケース２５において、突出部２５１の上端側には、図２に示すように、２つの孔２５１Ａが形成されている。そして、これら２つの孔２５１Ａ、ロアーケース２２の底面部２２Ａに形成された位置決めリブ２２Ａ４、および雌ねじ孔２２Ａ５により、後述するケーブルカバー（図７参照）が位置決めされて外装ケース２に対して固定される。
また、このリアケース２５には、図２に示すように、複数の孔２５２が形成され、これら複数の孔２５２を介して、外部の電子機器からの画像信号、音声信号等を入力するための複数の接続端子２５３が外部に露出している。このリアケース２５の内側には、接続端子２５３から入力される信号を処理する図示しないインターフェース基板が配置されている。
なお、前記インターフェース基板は、後述する制御基板と電気的に接続され、前記インターフェース基板にて処理された信号は、制御基板に出力される。
【００２９】
（２）内部構成
図３ないし図５は、プロジェクタ１の内部構成を示す図である。具体的に、図３は、図１の状態からアッパーケース２１、フロントケース２３、およびサイドケース２４を取り外した状態を示す図である。図４は、図３の状態から上部シールド板をさらに取り外した状態を示す図である。図５は、図４の状態から制御基板をさらに取り外した状態を示す図である。
外装ケース２の内部には、図３ないし図５に示すように、プロジェクタ１の装置本体が収容されており、この装置本体は、外装ケース２の長手方向に沿って左右方向に延び、一方の端部が前方に延びる平面視略Ｌ字状の光学ユニット４（図５）と、この光学ユニット４の上方およびフロントケース２３の内側にそれぞれ配置される制御基板５と、光学ユニット４のＬ字状内側に配置される電源ユニット６と、外装ケース２内部を冷却する冷却ユニット７（図５）とを備えている。
【００３０】
(2-1)光学ユニット４の構造
図６は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、光学フィルタ４２Ａと、リレー光学系４３と、光変調装置および色合成光学装置を一体化した光学装置４４と、これら光学部品４１，４２，４２Ａ，４３，４４を収納配置するライトガイド４５とに機能的に大別される。
【００３１】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００３２】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル上に結像させる機能を有する。
【００３３】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００３４】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
光学フィルタ４２Ａは、２枚のダイクロイックミラー４２１，４２２の間に配置され、ダイクロイックミラー４２１を透過した光束についてスペクトル補正を実施する。そして、この光学フィルタ４２Ａは、比較的に光強度の高い色光（例えば、緑色光および青色光等）のスペクトル補正を実施することで、投写画像のコントラストの低下を防止している。この光学フィルタ４２Ａは、具体的な図示は省略するが、青板ガラスまたは白板ガラス等からなるガラス基板と、このガラス基板の表面に屈折率の異なる２種類の薄膜が交互に積層された光学変換膜とを含んで構成される。
【００３５】
また、この光学フィルタ４２Ａは、ライトガイド４５に設けられたフィルタ移動機構４５Ａ（図５）によって光束の光路内外に移動される。すなわち、光学フィルタ４２Ａは、照明光軸に対して略垂直になるように照明光軸上に配置されている。この状態から、フィルタ移動機構４５Ａは、図６中矢印Ｒで示すように、光学フィルタ４２Ａの姿勢を変えながら、ライトガイド４５の光路外にスライドさせる。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する青色光用の液晶パネルまで導く機能を有している。
【００３６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色光用の液晶パネルに到達する。このフィールドレンズ４１９は、第２レンズアレイ４１３から射出された各部分光束をその中心軸（主光線）に対して平行な光束に変換する。青色光および緑色光用の液晶パネルの光入射側に設けられたフィールドレンズ４１９も同様である。
【００３７】
また、ダイクロイックミラー４２１を透過した青色光と緑色光のうちで、緑色光は、ダイクロイックミラー４２２によって反射し、フィールドレンズ４１９を通って、緑色光用の液晶パネルに到達する。一方、青色光は、ダイクロイックミラー４２２を透過してリレー光学系４３を通り、さらにフィールドレンズ４１９を通って、青色光用の液晶パネルに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３８】
光学装置４４は、入射された光束を画像情報に応じて変調してカラー画像を形成する。この光学装置４４は、色分離光学系４２で分離された各色光が入射される３つの入射側偏光板４４２と、これら入射側偏光板４４２の後段に配置される液晶パネル４４１（赤色光用を４４１Ｒ、緑色光用を４４１Ｇ、青色光用を４４１Ｂとする）および射出側偏光板４４４と、クロスダイクロイックプリズム４４５とを備える。
液晶パネル４４１Ｒ，４４１Ｇ，４４１Ｂは、例えば、ポリシリコンＴＦＴ（Thin Film Transistor）をスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３９】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４０】
クロスダイクロイックプリズム４４５は、射出側偏光板４４４から射出され、色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４１】
（３）カバー部材の構造
以上、電子機器であるプロジェクタ１の構造について説明した。これより、筐体本体としての外装ケース２に装着されるカバー部材について説明する。
図７および図８には、ケーブルカバー８が示されている。ケーブルカバー８は、カバー本体８１と、２つの雄ねじ部８２とを備えている。ケーブルカバー８は、カバー本体８１の内部にリアケース２５から露出する接続端子２５３、およびこの接続端子２５３に接続されるケーブル類の端部を覆うものである。
【００４２】
このカバー本体８１は略箱形状に樹脂等で一体成形されており、第１面部８１１と、この第１面部８１１の対辺にある第２面部８１２と、開口部８１３とを含んで構成されている。カバー本体８１の各角部分は面取りされており、外装ケース２と同様の凸曲面状に形成されている。
ここで、第１面部８１１は、アッパーケース２１の外面と略平行とされ、第２面部８１２は、ロアーケース２２の底面部２２Ａと略平行とされている。また、開口部８１３は、これら第１・第２面部８１１、８１２と交差するひとつの面が開口されることにより形成されている。
そして、第１面部８１１は、内側に突起８１１Ａを有し、第２面部８１２は、切り欠き８１２Ａと、外側に形成される舌片８１２Ｂとを有している。
【００４３】
突起８１１Ａは、第１面部８１１の内面から突出して２つ形成されている。各突起８１１Ａは、内側面外方向に突出し、さらに開口部８１３に向かって第２面部８１２と略平行に屈曲している。そして、突起８１１Ａの先端は断面略く字状（内側面外方向に開く）に屈曲して先端部８１１Ａ１とされている。この先端部８１１Ａ１は、その屈曲の凸部分が第１面部８１１の内面に対向するとともに、この屈曲の両側は第２面部８１２に向かって拡開するようにそれぞれ斜めに延びている。
これらの突起８１１Ａに対向する第２面部８１２には、開口部８１３の周縁から周方向と直交する方向に略矩形状に切り欠かれて、切り欠き８１２Ａが形成されている。
また、この切り欠き８１２Ａの両側には、２つの長円状の舌片８１２Ｂが開口部８１３の周縁を跨ぐように開口部８１３から突出して形成されている。これらの舌片８１２Ｂは、先端に孔８１２Ｂ１を有しており、この孔８１２Ｂ１には、次のような雄ねじ部８２のねじ部分が挿入される。
【００４４】
雄ねじ部８２は、頭付きのねじとされる雄ねじ８２１と、この雄ねじ８２１に係止されるＥリング８２２とから構成されている。
雄ねじ８２１は、頭部８２１Ａと、この頭部８２１Ａとは反対側に形成されるねじ８２１Ｂと、このねじ８２１Ｂと頭部８２１Ａとの中間部位である軸部８２１Ｃとから構成されている。
ここで、頭部８２１Ａには略＋字状のドライバ溝が形成されており、ドライバも使用できるが、頭部８２１Ａを手で把持・回転させて雄ねじ８２１を螺合可能である。
また、ねじ８２１Ｂにはねじ山が刻設されており、舌片８１２Ｂの孔８２１Ｂ１に挿入可能な寸法とされている。このねじ８２１Ａに対して軸部８２１Ｃにはねじ山は刻設されておらず、軸部８２１Ｃは、ねじ８２１Ｂよりも細軸の棒状に形成されている。
そして、Ｅリング８２２は平面視略Ｅ字状の弾性部材であり、その内部を拡げるようにして軸部８２１Ｃが挿入・係止される。このＥリング８２２は、カバー本体８１の舌片８１２Ｂの孔８２１Ｂ１よりも大きい外寸とされている。また、このＥリング８２２は、舌片８２１Ｂの孔８２１Ｂ１に雄ねじ８２１が挿入された状態で、ねじ８２１Ｂの先端側で軸部８２１Ｃに係止されているので、カバー本体８１を取り外した状態でも、頭部８２１ＡおよびＥリング８２２によって雄ねじ８２１はカバー本体８１に保持され、ねじ８２１等の紛失が防止される。
【００４５】
図９および図１０にはともにプロジェクタ１の背面が示されており、図９は上方から、図１０は下方から見た図である。
前述したが、外装ケース２の背面は、図９にも示されるように、アッパーケース２１の背面部２１Ｄ、ロアーケース２２の背面部２２Ｄ、およびリアケース２５により構成されている。そして、底面部２２Ａには、図１０にも示されるように、前方側の左右両端に２つの調整脚部２２Ａ３が設けられるとともに、後方側の左右方向中央に固定脚部２２Ａ１が１つ設けられている。また、後方側の左右両端には2つの位置決めリブ２２Ａ４が形成されており、これらの位置決めリブ２２Ａ４の外側隣接位置にはそれぞれ雌ねじ孔２２Ａ５が形成されている。
そして、前述のように、リアケース２５の略中央からは接続端子２５３が露出し、この接続端子２５３の上下には一対の突出部２５１が形成されている。すなわち、リアケース２５は一対の突出部２５１の間で凹むように納められている。ここで、これら突出部２５１の外面は底面部２２Ａの外面と略平行とされており、各突出部２５１は段部に相当する。
さらに、上側の突出部２５１には、図１０にも示されるように、凹部としての孔２５１Ａが形成されており、この孔２５１Ａの形成される突出部２５１の外面は、雌ねじ孔２２Ａ５の形成される底面部２２Ａの外面と同じ向きとされている。
なお、下側の突出部２５１には孔等は形成されていない
【００４６】
図１１〜図１５には、外装ケース２にケーブルカバー８が装着された状態のプロジェクタ１が示されている。図１１では上方から、図１２では下方からそれぞれプロジェクタ１が示され、図１３は図１２の部分拡大図、図１４にはロアーケース２２が外されて筐体内部が示されている。そして図１５には底面部２２Ａに天吊用部材が取り付けられたプロジェクタ１を下方から見た状態が示されている。
ここで、ケーブルカバー８において、カバー本体８１の舌片８１２Ｂに挿通される雄ねじ部８２と、突起８１１Ａとは、外装ケース２との係合部とされている（図７、図８参照）。
一方、外装ケース２においては、底面部２２Ａの雌ねじ孔２２Ａ５と、突出部２５１の孔２５１Ａとが、ケーブルカバー８との係合部とされている（図１０参照）。
そして、雌ねじ孔２２Ａ５と雄ねじ部８２とが係合し、さらに、孔２５１Ａと突起８１１Ａとがそれぞれ係合することで、外装ケース２にケーブルカバー８が装着されている。
なお、外装ケース２とケーブルカバー８とは、図１１および図１２にも示されるように、それぞれの凸曲面形状が連続するように一体化されており、これら外装ケース２とケーブルカバー８とにより、プロジェクタ１の筐体が構成されている。
【００４７】
ケーブルカバー８は、次のように外装ケース２に装着される。
まず、カバー本体８１の開口部８１３をアッパーケース２１およびロアーケース２２の背面側にあてがいながら、カバー本体８１内側にある突起８１１Ａの先端部８１１Ａ１の先端斜面を背面部２１Ｄの切り欠き２１Ｄ１開口端部で押し下げ、この先端斜面と切り欠き２１Ｄ１との干渉により傾いた先端部８１１Ａ１の屈曲凸部分をリアケース２５の孔２５１Ａに押し込むように挿入して孔２５１Ａと係合させる。なお、図１４ではロアーケース２２を取り外した状態が示されているが、孔２５１Ａや突起８１１Ａ等は、ロアーケース２２取り付け時には下方から見えにくいものとなっている（図１２参照）
次に、カバー本体８１の舌片８１２Ｂを位置決めリブ２２Ａ４に沿わせてほぼ平行に移動させると、舌片８１２Ｂが位置決めリブ２２Ａ４のＬ字形状内部まで案内されて、舌片８１２Ｂの孔８１２Ｂ１と、底面部２２Ａの雌ねじ孔２２Ａ５（図１０）双方の孔位置がほぼ重なる（図１３参照）。
最後に、雄ねじ部８２の雄ねじ８２１を孔８１２Ｂ１を介して雌ねじ孔２５１Ａに螺合固定することにより、ケーブルカバー８の装着が完了する。
なお、外装ケース２の背面側端部にケーブルカバー８が隙間なく装着され、図１１にも示されるように、上面や側面には係合突起等は露出していない。
【００４８】
ケーブルカバー８を装着後、図１５にも示すように、さらに、天吊用部材ＣＦを取り付けることもできる。この天吊用部材ＣＦは底面部２２Ａに形成された2つの雌ねじ孔２２Ａ５の間に配置されているので、天吊用部材ＣＦを着けたまま、雄ねじ部８２を螺合・螺合解除してケーブルカバー８を着脱できる。
ケーブルカバー８を取り外すには、雄ねじ部８２を螺合解除し、カバー本体８１を底面部２２Ａと略平行に後方側にずらせば、突起８１１Ａの先端部８１１Ａ１の基端側斜面が孔２５１Ａの開口端縁で押し下げられ、この基端側斜面と孔２５１Ａとの干渉により傾いた先端部８１１Ａ１の屈曲凸部分が孔２５１Ａから外れ、カバー本体８１が外装ケース２から取り外される。
このようにケーブルカバー８を取り外した状態でも、プロジェクタ１を上方から見た場合、孔２５１Ａや、雌ねじ孔２２Ａ５、雄ねじ部８２、突起８１１Ａ、舌片８１２Ｂ等の係合部は露出していない（図９参照）。天吊時には、下方からはプロジェクタ１の上面側が見えるので、同様にこれらの係合部が露出しない。
【００４９】
（４）実施形態の効果
このような本実施形態によれば、次のような効果がある。
（4-1）底面部２２Ａには雌ねじ孔２２Ａ５が形成されているとともに、底面部２２Ａと略平行な突出部２５１の面には孔２５１Ａが形成されている。また、ケーブルカバー８には、舌片８１２Ｂおよび雄ねじ部８２と、突起８１１Ａとが形成されている。
そして、外装ケース２の背面側にケーブルカバー８をあてがいながら、孔２５１Ａに突起８１１Ａを引っ掛けるように係合させ、ケーブルカバー８を底面部２２Ａと略平行にずらすだけで、雌ねじ孔２２Ａ５と孔８１２Ｂ１とが位置合わせされて雄ねじ部８２により係合可能となるので、ケーブルカバー８を容易に装着できる。
また、底面部２２Ａでプロジェクタ１を設置した際に、雌ねじ孔２２Ａ５、孔２５１Ａ、雄ねじ部８２、突起８１１Ａ等の係合部は外装ケース２の上面であるアッパーケース２１や側面には露出せず、位置的に見えにくい部位に形成されている。天吊して使用する時も、下方からやはり同様に見えにくい。
したがって、使用状態を問わず、ケーブルカバー８を装着しないときにもこれら係合部によってプロジェクタ１の筐体の外観が損なわれない。
さらに、前記の係合部は見えにくいので、これら係合部を外装ケース２の角隅や端縁近傍などに形成しなくても済むから、プロジェクタ１の持ち運びの際等に、前記の係合部の破損を防止でき、着脱がより容易となる。
そして、互いに平行な面とされている底面部２２Ａおよび突出部２５１それぞれの端部をケーブルカバー８が隙間なく覆うように係合するので、カバー本体８１内側に格納される接続端子２５３等への塵埃付着を確実に防止できる。
【００５０】
（4-2）突出部２５１の面は、底面部２２Ａと略同じ向きの面とされることにより、プロジェクタ１を固定脚部２２Ａ１および調整脚部２２Ａ３にて設置した際に、突出部２５１に形成された孔２５１Ａは下向きとなる。これにより、底面部２２Ａに形成された雌ねじ孔２２Ａ５、位置決めリブ２２Ａ４だけでなく突出部２５１に形成された孔２５１Ａも底面部２２Ａ側に隠れ、位置的に一層見えにくいものとなるので、ケーブルカバー８を装着しないときにも外観性がより向上する。
【００５１】
（4-3）ケーブルカバー８には突起８１１Ａが形成され、突出部２５１には孔２５１Ａが形成されていることにより、突起８１１Ａの先端部８１１Ａ１を孔２５１Ａに抜き差しするだけでケーブルカバー８の着脱を一層簡単に行える。この際、前述のように突起８１１Ａの先端部８１１Ａ１は断面略く字状とされ、その屈曲凸部分が孔２５１Ａに係合されることから、この屈曲部分の両側の斜面形状を孔２５１Ａおよび背面部２１Ｄの切り欠き２１Ｄ１に干渉させることで、着脱がさらに容易となる。
また、突起８１１Ａおよび孔２５１Ａがカバー本体８１の内側に隠れ、外側には露出しないので、外観性をより一層向上させることができる。
そして、突起８１１Ａおよび孔２５１Ａは位置的に見えにくい部位に形成されているうえに、外装ケース２の係合部が突起等の形状とされずに孔２５１Ａとされることによって、ケーブルカバー８を外した際の外観性がさらに良好となるとともに、取扱い性がより向上する。
【００５２】
（4-4）底面部２２Ａには、雌ねじ孔２２Ａ５と、位置決めリブ２２Ａ４とを備えていることにより、雌ねじ孔２２Ａ５に雄ねじ部８２を螺合してケーブルカバー８を外装ケース２に固定できるので、ケーブルカバー８の脱落を確実に防止できる。
また、雌ねじ孔２２Ａ５は、プロジェクタ１の設置される台等に最も近い底面部２２Ａに設けられるので、ケーブルカバー８を取り外した際も目立たない。プロジェクタ１の天吊時にも、底面部２２Ａは天井側に向くから、下方から見てやはり目立たない。
さらに、ケーブルカバー８を着脱する際に、位置決めリブ２２Ａ４に沿って舌片８１２Ｂを移動させてケーブルカバー８を案内可能となるから、一層容易に着脱できる。
そして、雄ねじ部８２が金属製である場合でも、接続端子２５３と離れる底面部２２Ａ側に配置されていることにより、接続端子２５３へのノイズの影響などを回避できる。
【００５３】
（4-5）プロジェクタ１は、前述のような外装ケース２およびケーブルカバー８により構成される筐体を備えることにより、ケーブルカバー８の装着により接続端子２５３に接続されるケーブル類を容易に被覆することができる。それに加え、余計な係合突起等がケーブルカバー８および外装ケース２の表面に現れないので、ケーブル類の被覆による外観性を保つことができる。この外観性はケーブルカバー８を取り外したときも変わらないから外観意匠性に優れるとともに、取扱い性にも優れる。
【００５４】
なお、本発明は前述の実施形態に限定されるものではなく、本発明の目的を達成できる範囲での変形、改良等は本発明に含まれるものである。
前記実施形態では、接続端子の上下で一対の段部が筐体本体から略垂直に突出し、これらの段部により筐体本体背面部分の略中央に凹部が形成されていたが、段部は筐体に対して斜めに突出していてもよいし、また、曲面状に突出していても構わない。段部が脚部の設けられる面と略平行な面を有し、外部からカバー部材を係合できる係合部をこの面に形成できれば、段部の形状や位置等は限定されない。筐体本体の形状に依っては、例えば、１つの段部のみが形成され、この段部と筐体の端部との間の窪みに接続用端子が納められていてもよい。
また、係合部の形状、数、位置等についても、前記実施形態に限られるものではない。
【産業上の利用可能性】
【００５５】
本発明は、プロジェクタに利用できる他、ゲーム機器、音響・映像機器、電子計算機、通信機器等の電子機器類にも利用することができる。
【図面の簡単な説明】
【００５６】
【図１】本実施形態に係るプロジェクタを上方前面側から見た斜視図。
【図２】前記実施形態におけるプロジェクタを下方背面側から見た斜視図。
【図３】前記実施形態におけるプロジェクタの内部構成を示す図。
【図４】前記実施形態におけるプロジェクタの内部構成を示す図。
【図５】前記実施形態におけるプロジェクタの内部構成を示す図。
【図６】前記実施形態における光学ユニットの光学系を模式的に示す図。
【図７】前記実施形態におけるカバー部材の斜視図。
【図８】前記実施形態におけるカバー部材の他の斜視図。
【図９】前記実施形態におけるプロジェクタを上方背面側から見た斜視図。
【図１０】前記実施形態におけるプロジェクタを下方背面側から見た斜視図。
【図１１】前記実施形態におけるカバー部材装着時のプロジェクタを上方前面側から見た斜視図。
【図１２】前記実施形態におけるカバー部材装着時のプロジェクタを下方から見た斜視図。
【図１３】前記実施形態におけるカバー部材と外装ケースとの装着部分を示す斜視図。
【図１４】前記実施形態におけるカバー部材と外装ケースとの装着部分内部を示す斜視図。
【図１５】前記実施形態におけるカバー部材装着時のプロジェクタを下方から見た斜視図。
【符号の説明】
【００５７】
１…プロジェクタ、２…外装ケース（筐体本体）、２２Ａ…底面部（脚部の設けられる面）、２２Ａ１…固定脚部、２２Ａ３…調整脚部、２２Ａ４…位置決めリブ、２２Ａ５…雌ねじ孔（係合部）、８１…カバー本体、８２…雄ねじ部（係合部）、２５１…突出部（段部）、２５１Ａ…孔（係合部としての凹部）、２５３…接続端子、４１１…光源装置、８１１Ａ…突起、８１２Ｂ…舌片（係合部）、８１２Ｂ１…孔（係合部）。
【図１】
2005085831.tif 000003
【図２】
2005085831.tif 000004
【図３】
2005085831.tif 000005
【図４】
2005085831.tif 000006
【図５】
2005085831.tif 000007
【図６】
2005085831.tif 000008
【図７】
2005085831.tif 000009
【図８】
2005085831.tif 000010
【図９】
2005085831.tif 000011
【図１０】
2005085831.tif 000012
【図１１】
2005085831.tif 000013
【図１２】
2005085831.tif 000014
【図１３】
2005085831.tif 000015
【図１４】
2005085831.tif 000016
【図１５】
2005085831.tif 000017